(57)【要約】      （修正有）【課題】花粉、粉塵、飛沫、ウイルスなどから目を保護するためのフードが着脱可能に取り付けられた眼鏡を提供する。【解決手段】眼鏡１は、レンズ４が装着される左右一対のリム３ａ、３ｂを有するレンズフレーム５とレンズフレーム５の右側端部から後方へ延びる右側智１３ａと、レンズフレーム５の左側端部から後方へ延びる左側智１３ｂと、右側智１３ａに接続する右側テンプルフレーム１５ａと、左側智１３ｂに接続する左側テンプルフレーム１５ｂとを有し、リム３ａ、３ｂは、レンズ４上部に位置する上側リム９ｕと、レンズ４側部に位置する中央側リム９ｉと端部側リム９ｏとを有し、中央側リム９ｉと端部側リム９ｏの裏面には、後方へ延びる突起片１１ｉ、１１ｏが設けられている。【選択図】図１
0003227696.tif 000002
【実用新案登録請求の範囲】
【請求項１】
レンズが装着される左右一対のリムを有するレンズフレームと
前記レンズフレームの右側端部から後方へ延びる右側智と、
前記レンズフレームの左側端部から後方へ延びる左側智と、
前記右側智に接続する右側テンプルフレームと、
前記左側智に接続する左側テンプルフレームとを有し、
前記リムは、レンズ上部に位置する上側リムと、レンズ側部に位置する中央側リムと端部側リムとを有し、前記中央側リムと端部側リムの裏面には、後方へ延びる突起片が設けられていることを特徴とする眼鏡。
【請求項２】
前記レンズフレームと顔面との隙間を遮蔽するためのフードが、前記レンズフレームに着脱可能に取り付けられており、前記フードは、レンズフレームの裏面の形状と同一またはほぼ一致する形状を有する前面フレームと、前面フレームのリム周縁から後方へと延びるカバー部とを有し、前面フレームの中央側リムと端部側リムの前面には、前記突起片に嵌合する凹部が形成されている請求項１に記載の眼鏡。
【請求項３】
前記フードは、シリコンラバー製の透明または半透明のフードであって、前記フードのカバー部の側面部には、智またはテンプルフレームを逃がす切り欠き部が設けられている請求項１または２に記載の眼鏡。
【請求項４】
前記突起片は、本体部と前記本体部の先端に設けられた係合部とを有する請求項１〜３のいずれか一項に記載の眼鏡。
【請求項５】
前記レンズフレームの中央側リムの突起片には、ノーズパットが着脱可能に取り付けられている請求項１に記載の眼鏡。
【考案の詳細な説明】
【技術分野】
【０００１】
本考案は、眼鏡に関するものであり、より詳細には、花粉、粉塵、飛沫、ウイルスなどから目を保護するための眼鏡に関する。
【背景技術】
【０００２】
特許文献１には、レンズを保持するフレーム部に被着用者の顔面側に延設された筒状の保護フード部を一体に備えたフード付き眼鏡であって、前記保護フード部は前記フレーム部と同一の樹脂材料によって一体に形成されているとともに、前記フレーム部の外周枠部の外縁から段差部を介してその内周側へ縮径した内周保護フード部として形成されていることを特徴とするフード付き眼鏡が開示されている。
【０００３】
特許文献２には、レンズが左右対称に並立して装着される左右リム、これら左右リムを繋ぐブリッジ、これら左右リムの左右両端に形成された曲げ智、及び前記左右リムのブリッジ寄りの接眼側に対称に形成された隆起サドル型の鼻当部を備えたフロント枠と；このフロント枠の形状に対応した左右リム及びブリッジを備え、かつ、少なくとも上縁部および両サイドにフード部が形成されたエラストマー製のインナーフレームとを含んで成り、更に前記フロント枠のブリッジの後面と、これに対向するインナーフレームのブリッジの前面に互いに嵌合可能な凹凸部が設けられると共に、前記インナーフレームの両サイド位置に、フロント枠のリムまたは曲げ智に着脱可能な止着部が設けられる一方、前記フロント枠の鼻当部において、基部の裏面或いは内側面に、前記インナーフレームの左右リム本体に対応した形状の嵌装溝が上下にわたって設けられ、当該嵌装溝にインナーフレームの左右リム本体が挿入可能となっていることを特徴とするインナーフレーム付き眼鏡フロント枠が開示されている。
【０００４】
特許文献３には、鼻当部を一体に有する本体リム部とレンズ部とテンプル部とを備えたメガネ本体部と、該メガネ本体部に後方から着脱が自在であるカバー体と、よりなる防塵用メガネ体であって、該カバー体はカバー体リム部と該カバー体リム部の端部から後方に起立するフード部を備えており、該フード部には前記テンプル部を逃がすための切り欠き部が形成されており、該切り欠き部には、テンプル部の折り畳み方向及び該折り畳み方向とは逆の過回動方向の回動を案内するために、ブラケット部とテンプル部の各々の一部を上下から把持するように外側に向かって突出する鍔部がさらに設けられており、前記鼻当部には、前記カバー体リム部の一部を嵌合するための細溝が形成されている防塵用メガネ体が開示されている。
【先行技術文献】
【特許文献】
【０００５】
【特許文献１】特開２０１４−２４０８８６号公報
【特許文献２】特許第５６９０９０７号公報
【特許文献３】特許第６５４７０５１号公報
【考案の概要】
【考案が解決しようとする課題】
【０００６】
本考案は、花粉、粉塵、飛沫、ウイルスなどから目を保護するためのフードが着脱可能に取り付けられた眼鏡を提供することを目的とする。
【課題を解決するための手段】
【０００７】
本考案の眼鏡は、レンズが装着される左右一対のリムを有するレンズフレームと
前記レンズフレームの右側端部から後方へ延びる右側智と、
前記レンズフレームの左側端部から後方へ延びる左側智と、
前記右側智に接続する右側テンプルフレームと、
前記左側智に接続する左側テンプルフレームとを有し、
前記リムは、レンズ上部に位置する上側リムと、レンズ側部に位置する中央側リムと端部側リムとを有し、前記中央側リムと端部側リムの裏面には、後方へ延びる突起片が設けられていることを特徴とする。
【０００８】
本考案の眼鏡は、前記レンズフレームと顔面との隙間を遮蔽するためのフードが、前記レンズフレームに着脱可能に取り付けられていることが好ましい。前記フードは、レンズフレームの裏面の形状と同一またはほぼ一致する形状を有する前面フレームと、前面フレームのリム周縁から後方へと延びるカバー部とを有し、前面フレームの中央側リムと端部側リムの前面には、前記突起片に嵌合する凹部が形成されている。
【考案の効果】
【０００９】
本考案によれば、花粉、粉塵、飛沫、ウイルスなどから目を保護するためのフードが着脱可能に取り付けられた眼鏡を提供することができる。
【図面の簡単な説明】
【００１０】
【図１】本考案の眼鏡の好ましい態様を後方から見た斜視図。
【図２】突起片の好ましい態様を説明する説明図。
【図３】突起片の別の好ましい態様を説明する説明図。
【図４】本考案の眼鏡の好ましい態様におけるフードが取り付けられている状態を説明する説明図。
【図５】本考案の眼鏡の好ましい態様におけるフードの正面やや上方からみた説明図。
【図６】本考案の眼鏡の好ましい態様におけるフードの平面図。
【図７】本考案の眼鏡の好ましい態様におけるフードを後方から見た斜視図。
【図８】本考案の眼鏡の好ましい態様で使用するノーズパッドの正面図。
【図９】本考案の眼鏡の好ましい態様におけるノーズパッドが取り付けられている状態を説明する説明図。
【図１０】本考案の眼鏡の別の好ましい態様を後方から見た斜視図。
【考案を実施するための形態】
【００１１】
本考案の眼鏡は、レンズが装着される左右一対のリムを有するレンズフレームと
前記レンズフレームの右側端部から後方へ延びる右側智と、
前記レンズフレームの左側端部から後方へ延びる左側智と、
前記右側智に接続する右側テンプルフレームと、
前記左側智に接続する左側テンプルフレームとを有し、前記リムは、レンズ上部に位置する上側リムと、レンズ側部に位置する中央側リムと端部側リムとを有し、前記中央側リムと端部側リムの裏面には、後方へ延びる突起片が設けられていることを特徴とする。
【００１２】
本考案の眼鏡において、レンズ側を前方とし、耳側を後方とする。眼鏡をかけたときに、鼻あるいは頬に接する側を下方とし、眉毛側を上方とする。眼鏡をかけたときに右耳側を右側とし、左耳側を左側とする。また、左右の横方向において、鼻側を中央側とし、目尻側を端部側とする。眼鏡をかけたときに、レンズフレームの頭や顔に対抗する面を裏面とし、その反対を前面とする。
【００１３】
本考案の眼鏡は、レンズが装着される左右一対のリムを有するレンズフレームと前記レンズフレームの右側端部から後方へ延びる右側智と、前記レンズフレームの左側端部から後方へ延びる左側智と、前記右側智に接続する右側テンプルフレームと、前記左側智に接続する左側テンプルフレームとを有する。
【００１４】
眼鏡の智は、レンズフレームの左右の端部から、後方に向かって延設されている部分であり、レンズフレームと、テンプルフレームとの間に位置する部分である。レンズフレームと智は一体的に成形されていることが好ましい。智は、ヨロイとも言われる。テンプルフレームは、蝶番を介して智に接続され、内側に折りたたむことがきる。
【００１５】
前記リムは、レンズ上部に位置する上側リムと、レンズ側部に位置する中央側リムと端部側リムとを有する。中央側リムは、鼻側に位置する。端部側リムは、目尻側に位置する。また、リムは、レンズ下部に位置する下側リムを有することが好ましい。本考案の眼鏡のレンズフレームは、特に限定されないが、レンズ全体をフレームで囲むフルリムであることが好ましい。前記中央側リムと端部側リムの裏面には、それぞれ、後方へ延びる突起片が設けられている。レンズフレームと突起片は、一体的に成形されていることが好ましい。
【００１６】
前記突起片は、中央側リムと端部側リムのそれぞれの裏面に少なくとも４個設けられているが、突起片の数は増やしてもよい。例えば、上側リムおよび／または下側リムの裏面に後方へ延びる突起片を設けることも好ましい。上側リムに設けられる突起片の数は、特に限定されないが、１個〜５個が好ましく、２個〜４個がより好ましく、３個がさらに好ましい。下側リムに設けられる突起片の数は、特に限定されないが、１個〜５個が好ましく、２個〜４個がより好ましく、３個がさらに好ましい。さらに、レンズフレームのブリッジの裏面に突起片を設けることも好ましい態様である。
【００１７】
前記突起片は、本体部と、本体部の先端にフードとの係合を高めるための係合部とを有することが好ましい。突起片の本体部と係合部とは一体に成形されていることが好ましい。係合部の幅方向の長さは、本体部の幅方向の長さよりも長く、本体部の側面から幅方向へ突出する突出部を有している。係合部の上下方向の長さは、本体部の上下方向の長さよりも長く、段差が設けられている。本体部より大きい係合部を先端に設けることにより、突起片とフードとの係合がより強くなる。
【００１８】
前記レンズフレーム、智、および、テンプルフレームの材質は、特に限定されないが、ポリカーボネート樹脂、アセテート樹脂やポリアミド樹脂などを挙げることができる。前記ポリアミド樹脂としては、例えば、エムスケミー・ジャパン製グリルアミドＴＲシリーズ（例えば、ＴＲ９０）を挙げることができる。
【００１９】
本考案の眼鏡には、前記レンズフレームと顔面との隙間を遮蔽するためのフードが、前記レンズフレームに着脱可能に取り付けられることが好ましい。前記フードは、レンズフレームの裏面の形状と同一またはほぼ一致する形状を有する前面フレームと、前面フレームのリム周縁から後方へと延びるカバー部とを有し、前面フレームの中央側リムと端部側リムの前面には、前記突起片に嵌合する凹部が形成されている。
【００２０】
レンズフレームの上側リムおよび／または下側リムに突起片を増やした場合、フードの上側リムおよび／または下側リムの前面に突起片に嵌合する凹部を設けることが好ましい。また、レンズフレームのブリッジに突起片を増やした場合、フードのブリッジの前面に突起片に嵌合する凹部を設けることが好ましい。
【００２１】
前記フードは、例えば、エラストマー製の透明または半透明のフードであることが好ましく、シリコンラバー製の透明または半透明のフードであることがより好ましい。透明または半透明にすることにより、視野が広がるからである。また、エラストマー製の材料を採用することにより、弾性力を利用してフードとレンズフレームとを強固に固定することができる。
【００２２】
本考案の眼鏡は、フードを着脱可能に取り付けるように構成されている。レンズフレームの裏面に設けられた突起片を、フードの前面フレームに設けられた凹部にはめ込むことにより取り付けることができる。突起片の断面形状（前後方向に対して垂直な平面で切断した断面）は、凹部の断面形状（前後方向に対して垂直な平面で切断した断面）と同一であるか、凹部の断面形状よりやや大きく構成されていることが好ましい。突起片の断面形状と凹部の断面形状が同一の場合、突起片と凹部の内面とが密着することにより、レンズフレームにフードが固定される。突起片の断面形状が、凹部の断面形状よりもやや大きく構成されている場合、突起片を凹部へはめ込むときに、凹部が弾性変形してやや広がる。その後、凹部の収縮力により、突起片が凹部に把持されることにより、レンズフレームにフードが固定される。
【００２３】
本考案の眼鏡は、前記フードを取り外して普通の眼鏡としても使用することができる。この場合、レンズフレームの中央側リムの突起片に、ノーズパットを着脱可能に取り付けることが好ましい。ノーズパットの前面には、前記中央側リムの突起片に嵌合する凹部が設けられていることが好ましい。前記ノーズパッドは、例えば、エラストマー製の透明または半透明であることが好ましく、シリコンラバー製の透明または半透明であることがより好ましい。
【００２４】
前記フードのカバー部の側面部には、智またはテンプルフレームを後方へ逃がす切り欠き部が設けられていることが好ましい。前記フードのカバー部の側面部は、レンズフレームから後方にむかって、外側にやや広がるようになっている。すなわち、フードカバー部後端部の外側の幅が、左右の智またはテンプルフレームの内側の幅よりもやや広くなる。そのため、智またはテンプルフレームを後方に逃がすための切り欠き部を、フードカバー部の側面部に設けることが好ましい。また、切り欠き部を設けることにより、テンプルフレームを内側に折りたたむことが容易になる。
【００２５】
本考案の眼鏡のレンズは、特に限定されない。例えば、遠視用レンズ、近視用レンズ、遠近両用レンズ、カラーレンズ、ブルーライトをカットするレンズ、紫外線をカットするレンズ、曇り止めレンズなどを挙げることができる。
【００２６】
以下、図面を参照しながら、本考案を説明するが、本考案は図面に示した態様に限定されない。
【００２７】
図１は、本考案の眼鏡を後方からみた斜視図である。図中、矢印Ａが、前後方向であり、矢印Ｂが左右方向であり、矢印Ｃが上下方向である。
【００２８】
本考案の眼鏡１は、レンズ４が装着される左右一対のリム３a，３ｂを有するレンズフレーム５を有する。レンズフレーム５は、左右一対のリム３a，３ｂと、左右のリム３a，３ｂを結合するブリッジ７とを有する。
【００２９】
前記リム３a，３ｂは、レンズ４の上部に位置する上側リム９ｕと、レンズ側部に位置する中央側リム９ｉと端部側リム９ｏとを有し、前記中央側リム９ｉと端部側リム９ｏの裏面には、後方へ延びる突起片１１（１１ｉ、１１ｏ）が設けられている。
【００３０】
突起片１１の形状は、特に限定されないが、略直方体状であることが好ましい。突起片１１の上下方向の長さは、１ｍｍ〜８ｍｍが好ましく、前後方向の長さは、１ｍｍ〜８ｍｍが好ましく、左右方向の長さ（幅方向の厚み）は、０．５ｍｍ〜5ｍｍが好ましい。突起片１１の幅方向の厚みは、中央側リム９ｉと端部側リム９ｏの幅方向の厚みより薄く形成されていることが好ましい。
【００３１】
突起片は、本体部と、本体部の先端にフードとの係合を高めるための係合部とを有することが好ましい。突起片の本体部と係合部とは一体的に成形されていることが好ましい。図２および図３は、突起片１１の変形例である。
【００３２】
図２の突起片１１は、本体部１２aと本体部１２ａの先端に設けられた係合部１２ｂとを有する。本体部１２ａと係合部１２ｂは、略直方体の形状を有している。係合部１２ｂの幅方向の長さＴ２は、本体部１２ａの幅方向の長さＴ１よりも長く、本体部１２ａの側面から幅方向へ突出する突出部１２ｄを有している。突起１１の平面視の形状は、Ｔ字状である。係合部１２ｂの上下方向の長さＬ２は、本体部１２aの上下方向の長さＬ１よりも長く、段差１２ｃが設けられている。このように係合部１２ｂに突出部１２ｄおよび段差１２ｃを設けることにより、突起片１１と弾性を有するフードとの係合が強くなる。
【００３３】
図２の突起片１１は、左右の突出部１２ｄと、上下の段差１２ｃとを有するが、例えば、上下の段差１２ｃをなくして、本体部１２ａと係合部１２ｂの上下面を面一とし、左右の突出部１２ｄのいずれか一方あるいは両方を残してもよい。また、左右の突出部１２ｄをなくして、本体部１２ａと係合部１２ｂの側面を面一とし、段差部１２ｃのいずれか一方あるいは両方を残してもよい。
【００３４】
図３の突起片１１は、本体部１２aと本体部１２ａの先端に設けられた係合部１２ｂとを有する。係合部１２ｂは、略楕円柱状の形状を有している。係合部１２ｂの幅方向の長さＴ２は、本体部１２ａの幅方向の長さＴ１よりも長く、本体部の側面から幅方向へ突出する突出部１２ｄを有している。係合部１２ｂの平面視の形状は略楕円状であるが、略円状であってもよい。係合部１２ｂの上下方向の長さＬ２は、本体部１２aの上下方向の長さＬ１よりも長く、段差１２ｃが設けられている。このように係合部１２ｂに突出部１２ｄおよび段差１２ｃを設けることにより、突起片１１と弾性を有するフードとの係合が強くなる。
【００３５】
図３の突起片１１は、左右の突出部１２ｄと、上限の段差１２ｃとを有するが、例えば、上下の段差１２ｃをなくして、本体部１２ａと係合部１２ｂの上下面を面一とし、左右の突出部１２ｄのいずれか一方あるいは両方を残してもよい。また、左右の突出部１２ｄをなくして、本体部１２ａと係合部１２ｂの側面を面一とし、段差部１２ｃのいずれか一方あるいは両方を残してもよい。
【００３６】
本考案の眼鏡１には、中央側リム９ｉの裏面に２つの突起片１１ｉ、端部側リム９ｏの裏面に２つの突起片１１ｏが設けられている。端部側リム９ｏに設けられる突起片１１ｏは、レンズフレーム５から後方へ延びる智１３から離間して設けられている。突起片１１ｏと智１３の間には、フード２１の前面端部の一部が収納される。
【００３７】
本考案の眼鏡１は、前記レンズフレーム５の右側端部から後方へ延びる右側智１３ａと、前記レンズフレーム５の左側端部から後方へ延びる左側智１３ｂと、前記右側智１３aに接続する右側テンプルフレーム１５ａと、前記左側智１３ｂに接続する左側テンプルフレーム１５ｂとを有する。左右のテンプルフレーム１５ａ,１５ｂは、蝶番により左右の智１３ａ，１３ｂに接続され、内側に折りたたむように構成されている
【００３８】
本考案の眼鏡には、前記レンズフレーム５と顔面との隙間を遮蔽するためのフード２１が、前記レンズフレームに着脱可能に取り付けられる（図４）。フード２１は、レンズフレーム５の裏面に着脱可能に取り付けられる。
【００３９】
図５は、前記フード２１の正面図である。図６は、前記フード３１の平面図である。
図７は、前記フード３１を後方から見た斜視図である。
【００４０】
前記フード２１は、レンズフレーム５の裏面の形状と同一またはほぼ一致する形状を有する前面フレーム２５と、前面フレーム２５のリム２３周縁から後方へと延びるカバー部２２とを有している。前面フレーム２５の前面には、前記突起片１１に嵌合する凹部３１が形成されている。
【００４１】
前面フレーム２５は、レンズフレーム５の左右一対のリム３a，３ｂに当接する左右一対のリム２３a,２３ｂと、前記左右のリム２３a，２３ｂを結合するブリッジ２７とを有する。前記リム２３a，２３ｂは、上側リム２９ｕと、中央側リム２９ｉと端部側リム２９ｏとを有し、前記中央側リム２９ｉと端部側リム２９ｏの前面には、レンズフレーム５の裏面に設けられた突起片１１に嵌合する凹部３１が形成されている。
【００４２】
レンズフレーム５の左右一対のリム３a，３ｂの裏面形状と前面フレーム２５の左右一対のリム２３a,２３ｂの前面形状は、同一またはほぼ一致する形状を有していることが好ましい。同一またはほぼ一致する形状を有することにより、両者のリム部分の密着性が向上するからである。
【００４３】
フード２１は、前面フレーム２５のリム２３の周縁から後方へ延びるカバー部２２を有している。前記カバー部２２が後方へ延出する長さは、カバー部２２が顔面に沿うように、中央側から端部側に向かって徐々に長くなることが好ましい（図６）。すなわち、顔面と接触するカバー２２部の後端部の形状は、顔面に沿うような曲線状であることが好ましい。カバー部２２の後端部は、顔面との隙間がないように接触するように後方へ延出していることが好ましいが、顔面との間にわずかな隙間が生じてもよい。
【００４４】
カバー部２２の上面部は、上側リム２９ｕの上端から上方にむかって広がるように傾斜していることが好ましい。カバー部２２の下面部は、下側リム２９ｂの下端から下方に向かって広がるように傾斜していることが好ましい。カバー部２２の側面部は、外側にむかって広がるように傾斜していることが好ましい。カバー部２２の後端部の幅が、左右のテンプルフレーム１５の内側の幅よりもやや広くなることが好ましい。
【００４５】
カバー部２２の側面部には、眼鏡の智１３またはテンプルフレーム１５を逃がすための切り欠き部３３が設けられていることが好ましい。切り欠き部３３を設けることにより、テンプルフレーム１５とカバー部２２との干渉がなくなる。また、テンプルフレーム１５を内側に折りたたむことが容易になる。
【００４６】
本考案の眼鏡１は、フード２１を着脱可能に取り付けるように構成されている。レンズフレーム５の裏面に設けられた突起片１１を、フード２１の前面フレーム２５に設けられた凹部３１にはめ込むことにより取り付けることができる。フード２１は、シリコンラバー製で半透明または透明であることが好ましい。
【００４７】
突起片１１の断面形状（前後方向に対して垂直な平面で切断した断面）は、凹部３１の断面形状（前後方向に対して垂直な平面で切断した断面）よりもやや大きく構成されていることが好ましい。突起片１１を凹部３１へはめ込むときに、凹部３１が弾性変形してやや広がる。その後、凹部３１の収縮力により、突起片１１が凹部３１に把持されることにより、レンズフレーム５にフード２１が固定される。
【００４８】
フード２１の前面端部の一部は、突起片１１と智１３との間に圧入されることが好ましい。圧入することにより、前面端部の一部が弾性変形する。前面端部の一部が元の形に戻ろうとする修復力により、フード２１の前面端部の一部が突起片１１と智１３との間に把持される。この作用により、フード２１が、レンズフレーム５と智に強固に固定される。
【００４９】
本考案の眼鏡１は、前記フード２１を取り外して普通の眼鏡としても使用することができる。この場合、前記中央側リム９ｉの突起片１１ｉに、ノーズパット３５を着脱可能に取り付けることが好ましい。図８は、ノーズパッド３５の正面図である。ノーズパット３５の前面には、中央側リム９ｉの突起片１１ｉに嵌合する凹部３７が設けられていることが好ましい。
【００５０】
図９は、本考案の眼鏡１を後方からみた斜視図である。前記フード２１を取り外して、前記中央側リム９ｉの突起片１１ｉに、ノーズパット３５が取り付けられている。
【００５１】
図１０は、本考案の眼鏡１の変形例であり、後方からみた斜視図である。レンズフレーム５には、中央側リム９ｉと端部側リム９ｏの裏面に設けられた突起片１１（１１ｉ、１１ｏ）に加えて、さらに突起片が設けられている。具体的には、レンズフレーム５は、上側リム９ｕの裏面に設けられた突起片１１ｕと、下側リム９ｄの裏面に設けられた突起片１１ｄとを有する。上側リム１１ｕと下側リム１１ｄには、それぞれ３個の突起片１１が設けられている。レンズフレーム５は、さらにブリッジ７の裏面に設けられた突起片１１を有している。
【００５２】
図１０に示したレンズフレーム５を使用する場合、フード２１の上側リム２９ｕおよび下側リム２９ｂの前面に突起片（１１ｕ，１１ｄ）に嵌合する凹部を設けることが好ましい。また、フード２１のブリッジ２７の前面に突起片１１に嵌合する凹部を設けることが好ましい。
【符号の説明】
【００５３】
１：眼鏡、３ａ，３ｂ：リム、５：レンズフレーム、７：ブリッジ、１１：突起片、１３：智、１５：テンプルフレーム、２１：フード、２２：カバー部、３１：凹部，３５：ノーズパッド
【図１】
0003227696.tif 000003
【図２】
0003227696.tif 000004
【図３】
0003227696.tif 000005
【図４】
0003227696.tif 000006
【図５】
0003227696.tif 000007
【図６】
0003227696.tif 000008
【図７】
0003227696.tif 000009
【図８】
0003227696.tif 000010
【図９】
0003227696.tif 000011
【図１０】
0003227696.tif 000012
【手続補正書】
【提出日】令和2年6月10日(2020.6.10)
【手続補正１】
【補正対象書類名】実用新案登録請求の範囲
【補正対象項目名】全文
【補正方法】変更
【補正の内容】
【実用新案登録請求の範囲】
【請求項１】
レンズが装着される左右一対のリムを有するレンズフレームと
前記レンズフレームの右側端部から後方へ延びる右側智と、
前記レンズフレームの左側端部から後方へ延びる左側智と、
前記右側智に接続する右側テンプルフレームと、
前記左側智に接続する左側テンプルフレームとを有し、
前記リムは、レンズ上部に位置する上側リムと、レンズ側部に位置する中央側リムと端部側リムとを有し、前記中央側リムと端部側リムの裏面には、後方へ延びる突起片が設けられていることを特徴とする眼鏡。
【請求項２】
前記レンズフレームと顔面との隙間を遮蔽するためのフードが、前記レンズフレームに着脱可能に取り付けられており、前記フードは、レンズフレームの裏面の形状と同一またはほぼ一致する形状を有する前面フレームと、前面フレームのリム周縁から後方へと延びるカバー部とを有し、前面フレームの中央側リムと端部側リムの前面には、前記突起片に嵌合する凹部が形成されている請求項１に記載の眼鏡。
【請求項３】
前記フードは、シリコンラバー製の透明または半透明のフードであって、前記フードのカバー部の側面部には、智またはテンプルフレームを逃がす切り欠き部が設けられている請求項２に記載の眼鏡。
【請求項４】
前記突起片は、本体部と前記本体部の先端に設けられた係合部とを有する請求項１〜３のいずれか一項に記載の眼鏡。
【請求項５】
前記レンズフレームの中央側リムの突起片には、ノーズパットが着脱可能に取り付けられている請求項１に記載の眼鏡。